(57)【要約】【課題】スケルトンを傷めることなく、インフィルを自由に変更できるスケルトン・インフィル構造物を提供することである。【解決手段】スケルトン・インフィル構造物は、天井２、床３および壁４に適宜間隔ごとに埋設された取付用レール５に天井パネル６、床パネル７、壁パネル８がそれぞれ取外自在に設置されたことである。【選択図】    図１
2005016221.tif 000002
【特許請求の範囲】
【請求項１】
天井、床、壁のうちの少なくとも一つに取付用レールが適宜間隔ごとに埋設され、該取付用レールにベースパネルがそれぞれ取外自在に設置されたことを特徴とするスケルトン・インフィル構造物。
【請求項２】
取付用レールは一方向または二方向に交差して埋設されたことを特徴とする請求項１に記載のスケルトン・インフィル構造物。
【請求項３】
取付用レールは統一された寸法で埋設されたことを特徴とする請求項１または２に記載のスケルトン・インフィル構造物。
【請求項４】
取付用レールは天井、床、壁における外側鉄筋に平行で、かつ外側鉄筋の間に埋設されたことを特徴とする請求項１〜３のいずれかに記載のスケルトン・インフィル構造物。
【請求項５】
ベースパネルの一面には断熱材、遮音材、吸音材が取り付けられたことを特徴とする請求項１〜４のいずれかに記載のスケルトン・インフィル構造物。
【請求項６】
天井、床および壁は片面または両面に取付用レールが埋設されたプレキャストコンクリート板で形成されたことを特徴とする請求項１〜５のいずれかに記載のスケルトン・インフィル構造物。
【請求項７】
両面に埋設された取付用レールは、互いにずれた位置に埋設されたことを特徴とする請求項６に記載のスケルトン・インフィル構造物。
【請求項８】
プレキャストコンクリート板はハーフプレキャストコンクリート板、フルプレキャストコンクリート板、適宜間隔をもって対向したコンクリート板がトラス筋で接合されたプレキャストコンクリート板であることを特徴とする請求項６に記載のスケルトン・インフィル構造物。
【発明の詳細な説明】
【０００１】
【発明の属する技術分野】
本発明はスケルトン・インフィル構造物に関するものである。
【０００２】
【従来の技術】
近年のＲＣ造やＳＲＣ造の大規模な構造物においては、柱、梁、スラブ、壁などのスケルトン（構造躯体）と、間仕切り、設備、内装などのインフィル（内容物）とを分離構成し、スケルトンをそのままにして、インフィルだけを変更して間取りを自由に変えることができるスケルトン・インフィル構造（ＳＩ構造）が多く用いられている。このスケルトン・インフィル構造物としては、例えば特開２００２−２１３４８号公報の発明がある。
【０００３】
【特許文献１】
特開２０００−２１３４８号公報（図１）
【０００４】
【発明が解決しようとする課題】
しかし、上記のスケルトン・インフィル構造物は、間仕切りなどの内装材の変更工事などにおいて、仕上げ材や仕上げ下地材を躯体に接着したり、アンカーボルトで固定しているため、躯体を傷めてしまうという問題があった。また、天井パネルや壁パネルなどのベースパネルをインサート金具で取り付けていたため、取付位置の自由な変更や微調整が困難であった。に
【０００５】
本発明はこれらの問題に鑑みてなされたものであり、その目的は、スケルトンを傷めることなく、インフィルを自由に変更できるとともに、ベースパネルの取付位置の自由な変更や微調整が簡単にできるスケルトン・インフィル構造物を提供することである。
【０００６】
【課題を解決するための手段】
以上の課題を解決するためのスケルトン・インフィル構造物は、天井、床、壁のうちの少なくとも一つに取付用レールが適宜間隔ごとに埋設され、該取付用レールにベースパネルがそれぞれ取外自在に設置されたことを特徴とする。また取付用レールは一方向または二方向に交差して埋設されたことを含む。また取付用レールは統一された寸法で埋設されたことを含む。また取付用レールは天井、床、壁における外側鉄筋に平行で、かつ外側鉄筋の間に埋設されたことを含む。またベースパネルの一面には断熱材、遮音材、吸音材が取り付けられたことを含む。また天井、床および壁は片面または両面に取付用レールが埋設されたプレキャストコンクリート板で形成されたことを含む。両面に埋設された取付用レールは、互いにずれた位置に埋設されたことを含む。またプレキャストコンクリート板はハーフプレキャストコンクリート板、フルプレキャストコンクリート板、適宜間隔をもって対向したコンクリート板がトラス筋で接合されたプレキャストコンクリート板であることを含むものである。
【０００７】
取付用レールが天井、床および壁に適宜間隔をもって埋設されたことにより、スケルトンを傷めることなく、床パネル、天井パネル、壁パネルなどのベースパネルを簡単、かつ自由に取付けまたは取外しすることができる。またベースパネルを取付用レールに取り付けることにより、ベースパネルの取付位置が限定されず、任意の位置に設置することができるとともに、設置時における微調整も簡単にでき、かつベースパネルの大きさも自由に変えることができる。また取付用レールは統一された寸法で埋設されたことにより、ベースパネルの転用ができる。また取付用レールは天井、床、壁における外側鉄筋に平行で、かつ外側鉄筋の間に埋設されたことにより、鉄筋のかぶり不足を補うことができる。またベースパネルの一面には断熱材、遮音材、吸音材が取り付けられたことにより、断熱パネル、遮音パネル、吸音パネルとすることができる。またプレキャストコンクリート板で壁、スラブが構築できるので、床、天井、壁に取付用レールが簡単に設置できる。また両面に埋設された取付用レールは、互いにずれた位置に埋設されたことにより、構造躯体の強度低下を防ぐことができる。
【０００８】
【発明の実施の形態】
以下、本願発明のスケルトン・インフィル構造物（以下ＳＩ構造物という）の実施の形態について説明する。このＳＩ構造物は、事務所用テナントビル、集合住宅、美術館、博物館、ホテル、病院、老人ホームなどであり、これらのほかに間仕切りなどの内装材の変更が必要な構造物の全てが含まれるものである。
【０００９】
図１および２は現場打ちの鉄筋コンクリートで構築された事務所用のテナントビルのスケルトン（以下構造躯体という）１であり、天井２、床３、壁４の全面に取付用レール５が埋設されて構成されている。
【００１０】
この取付用レール５は、図３に示すように、断面コ字形や内部の通路が円形のものであり、ステンレス製の錆にくい金物や、高強度の無機質材料で一体成型されている。
【００１１】
この取付用レール５は天井２および床３は同じ方向で適宜間隔ごとに埋設され、壁４は垂直方向で適宜間隔ごとに埋設されている。この埋設間隔は統一された一定の間隔（モジュール間隔）であり、この統一された間隔に埋設することにより、後述するベースパネルの転用が可能になる。すなわち、間仕切りの変更により不要となったベースパネルは化粧材などを貼り直すことにより、他のユーザー（居住者）へ再販、またはリースすることが可能になる。
【００１２】
また取付用レール５は、上面が天井２、床３および壁４の表面と面一状になるように埋設され、これらの外側鉄筋に平行で、かつ外側鉄筋の中間に埋め込まれて鉄筋のかぶり不足を補っている。また取付用レール５は、上下の部屋または隣の部屋の取付用レール５とずれて埋設されることにより、構造躯体の強度低下を防いでいる。
【００１３】
さらに取付用レール５を開口部の周りに埋め込んで、ドアやサッシュなどを取り付けることにより、これらの取り替えが簡単にできるようになる。また取付用レール５は部屋の出隅部、入り隅部（コーナー部）、あるいは柱梁の出隅部などで半端な寸法にならない位置に埋設される。なお、この取付用レール５は同じ方向だけでなく、交差させて埋設することもできる。
【００１４】
天井面、床面および壁面を形成する天井パネル６、床パネル７および壁パネル８などのベースパネル９は、図４に示すように、裏面側に取付金具１０を備えるとともに、表面側には塗装が施されている他、タイルやクロスが貼り付けられている（図示せず）。
【００１５】
この取付金具１０は取付用レール５に嵌め込まれる固定ピン１１と、この固定ピンに取り付けられた高さ調整をする調整プレート１２と、これにねじ込まれた取付ピン１３とから構成され、前記の調整プレート１２で各パネル７、８、９を接合して、壁面、床面および天井面を形成するとともに、壁面、床面および天井面全体のレベル調整をする。
【００１６】
また天井パネル６は照明を埋め込んだものや、スピーカを埋め込んだものを作ることができる。また壁パネルはコンセント、壁掛けテレビ、各種情報機器、ドアホン親機、絵画およびその他の装飾品を埋め込んだものや棚を取ち付けたものを作ることができる。
【００１７】
また床パネル７は上面に床材（図示せず）を設け、各種の配管が設置可能な間隙部を躯体との間に設け、この間隙部には断熱材、遮音材、吸音材を設置することもできる。
【００１８】
以上のように事務所用のテナントビルの場合は、取付用レールが埋め込まれたスケルトン状態で賃借すると、契約者が転出する時に、内装および間仕切りを元の状態に戻す原状復帰の費用および期間が低減される。
【００１９】
また取付用レールは、図５に示すように、長さ方向にも適宜間隔をもって、埋設することができる。この取付用レールの長さおよび取付用レール間の長さは建物の使用用途により、任意に設置するとことができる。
【００２０】
また図６は、下面に取付用レール５を埋設したプレキャストコンクリート板（以下ＰＣ板という）１４、いわゆるハーフＰＣ板１４であり、これを使用して事務所用テナントビルの構造躯体を構築するものである。
【００２１】
このＰＣ板１４を梁１５間に設置してトップコンクリート１６を打設すると、図７に示すようなスラブ１７を構築することもできる。このスラブ１７の上面には、下面とずれた位置に取付用レール５が埋設されている。このようなスラブ１７の他に、壁も同じ方法で構築することができる（図示せず）。
【００２２】
また図８は、下面に取付用レール５を埋設したＰＣ板１４が、適宜間隔をもってトラス筋１８で対向して接合されたＰＣ板１９であり、これを梁１５間に設置してＰＣ板間２０にコンクリート２１を打設することにより、図９に示すようなスラブ２２を構築することもできる。この場合はＰＣ板１９を梁１５間に設置すると同時に、スラブ２２の上下面に取付用レール５が設置された状態になる。
【００２３】
また、このほか上下面に取付用レール５を埋設したＰＣ板、いわゆるフルＰＣ板を形成することもできる。
【００２４】
また図１０は下面に交差状の取付用レール２３を埋設したＰＣ板２４であり、これは上記のＰＣ板１４、１９にも適用することができ、これ以外は同じ構成になる。
【００２５】
【発明の効果】
取付用レールが天井、床および壁に適宜間隔をもって埋設されたことにより、スケルトンを傷めることなく、床パネル、天井パネル、壁パネルなどのベースパネルを簡単、かつ自由に取付けまたは取外しすることができる。
【００２６】
ベースパネルを取付用レールに取り付けることにより、ベースパネルの取付位置が限定されず、任意の位置に設置することができる。
【００２７】
取付用レールは統一された寸法で埋設されたことにより、ベースパネルの転用ができる。
【００２８】
取付用レールは天井、床、壁における外側鉄筋に平行で、かつ外側鉄筋の間に埋設されたことにより、鉄筋のかぶり不足を補うことができる。
【００２９】
ベースパネルの一面には断熱材、遮音材、吸音材が取り付けられたことにより、断熱パネル、遮音パネル、吸音パネルとすることができる。
【００３０】
プレキャストコンクリート板で壁、スラブが構築できるので、床、天井、壁に取付用レールが簡単に設置できる。
【００３１】
両面に埋設された取付用レールは、互いにずれた位置に埋設されたことにより、構造躯体の強度低下を防ぐことができる。
【図面の簡単な説明】
【図１】構造躯体の斜視図である。
【図２】構造躯体の断面図である。
【図３】（１）および（２）は取付用レールの断面図である。
【図４】ベースパネルの取り付け状態を示す断面図である。
【図５】他の構造躯体の斜視図である。
【図６】取付用レールが埋設されたＰＣ板であり、（１）は底面図、（２）はＡ−Ａ線断面図、（３）はＢ−Ｂ線断面図である。
【図７】図６のＰＣ板を使用したスラブの断面図である。
【図８】取付用レールが埋設されたＰＣ板であり、（１）および（２）は断面図である。
【図９】図８のＰＣ板を使用したスラブの断面図である。
【図１０】取付用レールが埋設されたＰＣ板であり、（１）は底面図、（２）はＣ−Ｃ線断面図、（３）はＤ−Ｄ線断面図である。
【符号の説明】
１  構造躯体
２  天井
３  床
４  壁
５  取付用レール
６  天井パネル
７  床パネル
８  壁パネル
９  ベースパネル
１０  取付金具
１１  固定ピン
１２  調整プレート
１３  取付ピン
１４、１９、２４  ＰＣ板
１５  梁
１６  トップコンクリート
１７、２２  スラブ
１８  トラス筋
２０  ＰＣ板間
２１  コンクリート
２３  取付用レール
【図１】
2005016221.tif 000003
【図２】
2005016221.tif 000004
【図３】
2005016221.tif 000005
【図４】
2005016221.tif 000006
【図５】
2005016221.tif 000007
【図６】
2005016221.tif 000008
【図７】
2005016221.tif 000009
【図８】
2005016221.tif 000010
【図９】
2005016221.tif 000011
【図１０】
2005016221.tif 000012